(57)【要約】【課題】  電子写真装置において、電源投入直後でも感光体への巻き付きのない安定した用紙搬送を可能とする。【解決手段】  機内の温度を検出する温度検出手段１と、前記機内の温度を低減するための排気ファン５９と、を備えた電子写真装置において、前記温度検出手段１で検出した温度が所定の温度に達するまでに前記排気ファン５９を停止する。【選択図】図１
2009169192.tif 000002
【特許請求の範囲】
【請求項１】
機内の温度を検出する温度検出手段と、前記機内の温度を低減するための排気ファンと、を備えた電子写真装置において、前記温度検出手段で検出した温度が所定の温度に達するまでに前記排気ファンを停止することを特徴とする電子写真装置。
【請求項２】
前記排気ファンの停止は電子写真装置に電源が投入された時のみに行うことを特徴とする請求項１記載の電子写真装置。
【請求項３】
前記排気ファンの停止は前記機内の温度によらず所定時間経過後には停止することを特徴とする請求項１記載の電子写真装置。
【発明の詳細な説明】
【技術分野】
【０００１】
本発明はレーザビームプリンタ等の電子写真装置に関するものである。
【背景技術】
【０００２】
図３に電子写真装置の概略構成図を示す。図３において、複数の給紙部１０８に各々装填されているシート状記録部材５０（以下、用紙と称す）は、給紙手段１０９により搬送部１０７、切替え部１１３、搬送部１０６を経由して、感光体１０３へ搬送される。感光体１０３には書き込み部１０２にて上位クライアントコンピュータ等（図示せず）により送信された画像信号に基づいた不可視の画像が形成されており、現像部（図示せず）によってトナー画像が形成される。トナー画像は転写剥離部１０５によって用紙５０上に転写され、ベルト搬送部２を経て、定着部１０４に搬送される。こうして既知の電子写真プロセスによってトナー画像が転写され、定着部１０４にて用紙へトナー画像が定着される。次に、用紙５０は切替え部１１０により反転部１１１に搬送されるか、或いは後処理装置（図示せず）へ出力されるか選択される。そのまま後処理装置へ出力された場合には片面印刷となる。両面印刷の場合には、切替え部１１０によって反転部１１１に用紙５０を搬送、反転し、両面搬送部１１２を経由して、切替え部１１３から再び搬送部１０６に搬送され、裏面の印刷が行われる。
【０００３】
次に、転写剥離部１０５について図２を用いて説明する。図２は転写剥離の原理を示す説明図である。感光体１０３上のトナー画像５１は転写ワイヤ５２からのコロナ放電によってトナー画像５１と逆極性に帯電した用紙５０へ引き寄せられるため、用紙５０上にトナー画像５１が転写される。この際、用紙５０は感光体１０３に対する静電吸着力を持つため、感光体１０３へ密着した状態となる。そして剥離ワイヤ５３からのコロナ放電はこの用紙５０の吸着力を打ち消す極性にて放電され、用紙５０は感光体１０３への吸着力を失い、用紙５０の自重と剛性によって感光体１０３から剥離される。コロナ放電に伴うイオンの量は空気中の水分量や温度に非常に影響を受けることが知られており、装置１００内の温度によって剥離の状況が変わるため、例えば特許文献１のようにオペレータによる調整をその都度行っている。
【０００４】
一般的に、顧客は装置１００を夜間使用しないため、電源を切断した状態にしている。この状態では装置１００内の温度は環境温度とほぼ同程度まで低下する。装置１００が冷却された状態から、装置１００の電源を投入してもすぐに装置１００内の温度は上昇しないため、電源投入直後では装置１００内が通常よりも冷えた状態から印刷動作が行われることになる。前述の通り、コロナ放電に伴うイオンの量は空気中の水分量や温度に非常に影響を受け、特に温度が低い条件ではイオンの量は低下することが知られている。このため装置１００の電源投入直後では、装置１００内の温度が比較的低い状態であるので、剥離のイオン量も通常よりも低下し、結果として感光体１０３への用紙巻き付き障害が発生し易いという問題があった。
【０００５】
【特許文献１】特開２００４−３７９７４号公報
【発明の開示】
【発明が解決しようとする課題】
【０００６】
本発明は、上記問題点に鑑み、電源投入直後でも感光体への巻き付きのない安定した用紙搬送を可能とした電子写真装置を提供することを目的とする。
【課題を解決するための手段】
【０００７】
機内の温度を検出する温度検出手段と、前記機内の温度を低減するための排気ファンと、を備えた電子写真装置において、前記温度検出手段で検出した温度が所定の温度に達するまでに前記排気ファンを停止することを特徴とする。
【発明の効果】
【０００８】
本発明によれば、電源投入直後の装置内温度を早く上昇させるため、電源投入直後でも感光体への用紙巻き付きが発生しない安定した用紙搬送を行うことができる。
【発明を実施するための最良の形態】
【０００９】
図１は本発明における電子写真装置の印写プロセス周辺の概略構成図である。温度検出手段１は、印写プロセス周辺の温度を検出する。温度検出手段１には、例えばサーミスタ等のデバイスを使用し、感光体１０３の近傍に配置され、その出力を制御装置３に入力している。ここでは、一例としてベルト搬送部２の内部に配置している。排気ファン５９は装置１００内の過度な温度上昇を防止するためのもので、制御装置３によって回転／非回転制御されている。装置１００の電源が投入されると温度検出手段１により装置１００内の温度が制御装置３に入力される。
【００１０】
制御装置３は、例えば装置１００内の温度が２６℃未満の場合であれば、排気ファン５９を非回転とし停止させる。排気ファン５９が停止した状態では装置１００内の温度は主に定着部１０４の熱により急激に上昇する。その後、装置１００内の温度が２６℃に達した時点で制御装置３は排気ファン５９を回転させる。排気ファン５９が回転すると、装置１００内の温度の上昇は抑えられ、温度変化は緩やかとなる。装置１００の電源が投入され、温度検出手段１が２６℃以上の場合には、制御装置３は排気ファン５９を回転させる。即ち、この場合装置１００内が予め温まっている状態なので装置１００内の温度をこれ以上上昇させる必要はない。
【００１１】
一方で温度検出手段１に万一不具合があった場合には、制御装置３は排気ファン５９を継続的に停止させたままとしてしまうため、装置１００内の温度が過度に上昇し、様々な障害を生じる可能性がある。これを防止するために、制御装置３は電源投入後、所定時間が経過したら排気ファン５９を回転させる。この所定時間は本発明の効果を損ねることのないように、装置１００内の温度が十分低い状態から、例えば２６℃に達するまでの時間を考慮して設定する必要がある。
【００１２】
以上のように、本発明によれば装置内の温度が所定の温度よりも低い場合には排気ファンを停止するようにしたため、電源投入後の装置内の温度をより早く上昇させ、電源投入直後から感光体への用紙巻き付きのない安定した用紙搬送を行うことができる。また、印写プロセス周辺に例えばヒータのような付加デバイスを必要としないため、安定した用紙搬送を実現しつつ、装置コストを抑えることが可能となる。
【図面の簡単な説明】
【００１３】
【図１】本発明における電子写真装置の印写プロセス周辺の概略構成図である。
【図２】転写剥離の原理を示す説明図である。
【図３】電子写真装置の概略構成図である。
【符号の説明】
【００１４】
１は温度検出手段、２はベルト搬送部、３は制御装置、５０は用紙、５９は排気ファン、１０５は転写剥離部、５２は転写ワイヤ、５３は剥離ワイヤ、５１はトナー画像、１００は装置、１０２は書き込み部、１０３は感光体、１０４は定着部、１０５は転写剥離部、１０６は搬送部、１０７は搬送部、１０８は給紙部、１０９は給紙手段、１１０は切替え部、１１１は反転部、１１２は搬送部、１１３は切替え部である。
【図１】
2009169192.tif 000003
【図２】
2009169192.tif 000004
【図３】
2009169192.tif 000005